(57)【要約】      （修正有）【課題】本発明は、理容及び美容において毛髪をカットする時に使用される集約導入櫛歯付きのヘアカット用カミソリの提供。【解決手段】扁平長方形のカミソリ本体１ａの長手方向と直角または略直角に横断する横断線を基準に定巾若しくは開口側に僅かに拡開し、導入する髪の毛を前後に整列する整列溝２を基部側に形成し、その整列溝の先端側に連通すると共に扁平長方形のカミソリ本体の長手方向正面端縁に開口し、左右に所要巾区画した髪の毛を集約する左導入縁３ａと右導入縁３ｂを対応内側縁間に形成する集約導入櫛歯３をカミソリ本体の長手方向に所要の間隔で複数歯列設し、各整列溝の底縁よりに刃先位置して替刃を扁平長方形のカミソリ本体に配備する。【選択図】図１
2006346181.tif 000002
【特許請求の範囲】
【請求項１】
扁平長方形のカミソリ本体の長手方向と直角または略直角に横断する横断線を基準に定巾若しくは開口側に僅かに拡開し、導入する髪の毛を前後に整列する整列溝を基部側に形成し、その整列溝の先端側に連通すると共に扁平長方形のカミソリ本体の長手方向正面端縁に開口し、左右に所要巾区画した髪の毛を集約する左導入縁と右導入縁を対応内側縁間に形成する集約導入櫛歯をカミソリ本体の長手方向に所要の間隔で複数歯列設し、各整列溝の底縁よりに刃先位置して替刃を扁平長方形のカミソリ本体に配備してなるヘアカット用カミソリ。
【請求項２】
扁平長方形のカミソリ本体の一側面に同じ高さのスペーサを所要の間隔で具え、頭皮から替刃の刃先の高さを同一に維持して髪毛をカットする請求項１のヘアカット用カミソリ。
【請求項３】
扁平長方形のカミソリ本体の一側面に、柄部側より順次低くなる高さのスペーサを具え、頭皮から異高に髪毛をカットする請求項１のヘアカット用カミソリ。
【請求項４】
扁平長方形のカミソリ本体の長手方向正面端縁と反対の長手方向背面端縁に、先端縁に突出した区分け櫛歯を具える整髪用櫛歯を一体に配備してなる請求項１のヘアカット用カミソリ。
【請求項５】
扁平長方形のカミソリ本体に替刃収容部を設けて各整列溝の底縁よりに刃先を位置する替刃を収容配備してなる請求項１のヘアカット用カミソリ。
【請求項６】
各整列溝の底縁よりに刃先を位置する替刃は、カミソリ本体の替刃収容部で両側面に圧力を受けて定位置に保持されてなる請求項１のヘアカット用カミソリ。
【請求項７】
替刃収容部の操作具用長孔に外部から挿入さる操作具を替刃に形成された替刃操作孔に係合し、替刃を移動させて各整列溝に対応すね刃先の位置を未使用に移動可能に設けてなる請求項１のヘアカット用カミソリ。
【請求項８】
扁平長方形のカミソリ本体と柄部は着脱自在の接続手段を具備してなる請求項１のヘアカット用カミソリ。
【請求項９】
扁平長方形のカミソリ本体に対して柄部は角度を付けて接続し、手首を直線状にしてカット用カミソリを保持することができる請求項１のヘアカット用カミソリ。
【発明の詳細な説明】
【技術分野】
【０００１】
本発明は、理容及び美容において毛髪をカットする時に使用されるヘアカット用カミソリに関するものである。
【背景技術】
【０００２】
近年、ヘアスタイルは、軽い質感や、柔らかい質感、毛先に動きのあるスタイルが好まれ、理美容師は多種多様なカット器具・用具及び技法を駆使して需要のあるヘアスタイルを提供している。
従来、カット用に使用されるカミソリは、刃部が櫛歯でカバーされるもの、例えば、実用新案登録第３００９５０７号公報に掲載されるようものが一般に使用されるが、技術力を駆使できる刃部の全体が露出しているものも使用されている。
また、髪の一部を切断する梳きハサミが使用されている。櫛歯とハサミからなる点で、特開２００４−２３６７６６号公報は、その一例で、ペット動物の毛の手入等のブラッシング及び伸び過ぎた毛の刈り込みや、整髪等のための毛のカットを毛抜けやミスカット等のトラブルなく安全に実施し得るカットコームが開示されている。
次に、特開２００１−２３９０７６号に示すように刈り高さ調節部材を希望の高さで確実に停止させるヘアカッターが開示されている。
【特許文献１】実用新案登録第３００９５０７号公報
【特許文献２】特開２００４−２３６７６６号公報
【特許文献３】特開２００１−２３９０７６号公報
【発明の開示】
【発明が解決しようとする課題】
【０００３】
前記従来の実用新案登録第３００９５０７号公報に示すような、カット用に使用されるカミソリで、櫛歯で刃先がカバーされるものは、主として梳き刈りまたは直線的にカットをするものである。また、刃部の全体が露出しているものは、技術力を駆使できるが反面において非常に危険なものである。
また、特開２００４−２３６７６６号公報に示すようなカットコームにおいても直線的カットしかできないものである。
また、特開２００１−２３９０７６号公報に示すようなヘアカッターにおいても、定位置に装置したカッターに対して傾斜する櫛歯を移動することにより櫛歯の高さを変え刈り高さを変えものである。
【０００４】
前記従来例では、何れも櫛歯の溝は、先端から基部まで同一巾に構成されているものである。また、梳きハサミにおいても櫛刃においても溝巾は先端から基部まで同一巾である。
そこで、櫛歯（刃）間にとらえた毛髪を同一のカッターで横に同一直線をもって切断することしかできないものである。
本発明は、理容及び美容において、軽い質感や、柔らかい質感、毛先に動きのあるヘアスタイルを技術的に簡易・安全、かつ能率的に行えるヘアカット器具を提供することを目的になされたものである。
【課題を解決するための手段】
【０００５】
扁平長方形のカミソリ本体の長手方向と直角または略直角に横断する横断線を基準に定巾若しくは開口側に僅かに拡開し、導入する髪の毛を前後に整列する整列溝を基部側に形成し、その整列溝の先端側に連通すると共に扁平長方形のカミソリ本体の長手方向正面端縁に開口し、左右に所要巾区画した髪の毛を集約する左導入縁と右導入縁を対応内側縁間に形成する集約導入櫛歯をカミソリ本体の長手方向に所要の間隔で複数歯列設し、各整列溝の底縁よりに刃先位置して替刃を扁平長方形のカミソリ本体に配備してなるヘアカット用カミソリにある。
【０００６】
扁平長方形のカミソリ本体の一側面に同じ高さの同一高スペーサを所要の間隔で具え、頭皮から替刃の刃先の高さを同一に維持して髪毛をカットするようにしてもよいものである。
【０００７】
扁平長方形のカミソリ本体の一側面に、柄部側より順次低くなる高さの異高スペーサを具え、頭皮から異高に髪毛をカットするようにしてもよいものである。
【０００８】
扁平長方形のカミソリ本体の長手方向正面端縁と反対の長手方向背面端縁に、先端縁に突出した区分け櫛歯を具える整髪用櫛歯を一体に配備してなるようにしてもよいものである。
【０００９】
扁平長方形のカミソリ本体に替刃収容部を設けて各整列溝の底縁よりに刃先を位置する替刃を収容配備してなるようにしてもよいものである。
【００１０】
各整列溝の底縁よりに刃先を位置する替刃は、カミソリ本体の替刃収容部で両側面に圧力を受けて定位置に保持されてなるようにしてもよいものである。
【００１１】
替刃収容部の操作具用長孔に外部から挿入さる操作具を替刃に形成された替刃操作孔に係合し、替刃を移動させて各整列溝に対応すね刃先の位置を未使用に移動可能に設けてなるようにしてもよいものである。
【００１２】
扁平長方形のカミソリ本体と柄部は着脱自在の接続手段を具備してなるようにしてもよいものである。
【００１３】
扁平長方形のカミソリ本体に対して柄部は角度を付けて接続し、手首を直線状にしてカット用カミソリを保持することができるようにしてもよいものである。
【発明の効果】
【００１４】
本発明のヘアカット用カミソリによると、昨今の要請である、軽さ、柔らかさ、動きのあるヘアスタイルの表現が容易にできる。すなわち、集約導入櫛歯の長さ、歯数、形状、集約した毛髪を前後に整列する整列溝により、カット後の毛髪の構成に、従来器具にない、カットされた毛先の連続線が刃線に対して斜め方向にカットすることができ、すなわち、長髪部をカットすると、毛流の方向性、動きの表現が容易にでき、また、短髪部、中髪部をカットすると、ソフトで、軽い毛髪面を実現する、安全な理美容のヘアカット用カミソリを提供することができる。
【００１５】
従来のカット技術は、ガイドになる毛を櫛で取り出して、取り出した毛束の左右または上下、いずれかにある、カットされた毛髪をガイドにして刈り進める。カットにおける毛束の必要最小幅とは、主に区分した頭髪の横幅をさす。さらに技術者の手の大きさは、いろいろあるが、一般的に万人が正確にカット可能な刈り幅は約4．5センチで、約5センチが限界とされている。一般的に普及している顔剃用替え刃の横幅サイズは約5センチである。これも安全に正確に顔剃り技術ができる横幅と考察される。カッティングも正確にカットできる横幅は同様なので、本発明の替え刃は鋭利な切れ刃を持ち、優秀部材である顔剃用替え刃を使用している。したがって約5センチの替え刃の有効利用を指向して案出されている。必要以上に大きさがある器具は取り扱いが不自由であり、かつ正確な技術の障害にさえなる。以上のことから約７センチ幅の整髪用櫛歯と区分け櫛歯を具備することによって、カットしようとする必要最小幅の約７センチ前後幅の頭髪を区分し、取り出して、ガイドになる部分とカット部分を整髪し、約4．5センチから約5センチの横幅を、切れ刃でカットする。カット作業が１つの器具できるのが特徴である。また本発明のカット器具で、カットされた毛髪は毛先が纏り易く、毛の方向性、動きの表現が容易になる。
【００１６】
従来のカット用替え刃の使用状況は、切れ刃全体を使用しない状態で破棄される現状を危惧している。しかるに、本発明のヘアカット用カミソリは、スライド式上蓋により、替え刃を固定して、上蓋開口部から、切れ刃を移動させて使用し、一回のカット技術に消費する替え刃部分が他のヘアカットカミソリより極端に少なくし、未使用箇所がなくなるまで繰り返し使用ができ、替え刃の未使用部分がほとんどない状態で替え刃を捨てることができるものである。
【発明を実施するための最良の形態】
【００１７】
扁平長方形のカミソリ本体の長手方向と直角または略直角に横断する横断線を基準に定巾若しくは開口側に僅かに拡開し、導入する髪の毛を前後に整列する整列溝を基部側に形成し、その整列溝の先端側に連通すると共に扁平長方形のカミソリ本体の長手方向正面端縁に開口し、左右に所要巾区画した髪の毛を集約する左導入縁と右導入縁を対応内側縁間に形成する集約導入櫛歯をカミソリ本体の長手方向に所要の間隔で複数歯列設し、扁平長方形のカミソリ本体に替刃収容部を設けて各整列溝の底縁よりに刃先を位置する替刃を収容配備してなるヘアカット用カミソリ。
【実施例】
【００１８】
以下に、本発明のヘアカット用カミソリを、図１〜３に示す第１実施例のヘアカット用カミソリ１において、特に、基本構成を示す図２により先ず説明すると、扁平長方形を構成するカミソリ本体１ａの長手方向と直角に横断する横断線Ａ−Ａを基準に適宜幅と長さの整列溝２を基部側に形成し、その整列溝２の先端側に連通すると共に扁平長方形のカミソリ本体１の長手方向正面端縁１ａ１に開口し、左右に所要巾区画した髪の毛を集約する左導入縁３ａと右導入縁３ｂを対応内側縁間に形成する集約導入櫛歯３をカミソリ本体１の長手方向に所要の間隔で複数歯列設し、前記各整列溝２の底縁２ａよりに刃先４ａを位置する替刃４を配備してなるものである。
【００１９】
前記各整列溝２は、図２に示すように、巾の長さをａ、奥行きの長さをｂとして設けている。前記集約導入櫛歯３は、図２に示すように、一方の左導入縁３ａを長手方向線βに対してα角度で、集約導入櫛歯３の先端までの高さの長さをｃに設け、他方側の右導入縁３ｂを長手方向線βに対して直角の横断線Ｙ１−Ｙ１と平行に設けている。左導入縁３ａの長手方向線βに対するα角度は、０°〜４５°の範囲が望ましいがそれ以上の角度にも設定できる。なお、左導入縁３ａの長手方向線βに対するα角度を０°若しくは０°に近い角度で設定したときには、図３の第１実施例のカミソリ本体部１ａの側面図に示すように、所定の集約導入櫛歯３の高さを確保するために左区画傾斜縁３ａ１を接続して右導入縁３ｂと対応させるとよいものである。前記、図１〜図３に示す第１実施例で、整列溝２の 左側縁２ｂには隣り合う集約導入櫛歯３の右導入縁３ｂが接続し、反対の右側縁２ｃに対しては、隣り合う集約導入櫛歯３の左導入縁３ａが接続するものである。
【００２０】
次に、上記基本構成を具備する第１実施例のヘアカット用カミソリ１について、図１、図４、図５により説明すると、第１実施例のカミソリ本体部１ａは、差込部１ａ２を柄部１ｂに差込み固着している。
【００２１】
図５は、第１実施例のカミソリ本体部１ａの分解斜視図であり、カミソリ本体部１ａには、前記説明した整列溝２と集約導入櫛歯３が設けられるが、その整列溝２に連通する替刃収容部５が設けられ、その替刃収容部５は、替刃４を落し込んで収容する凹陥収容室５ａと、その上面開口を閉鎖するスライド押え蓋６とから構成される。前記凹陥収容室５ａの長手方向の開口縁は傾斜係合縁５ａ１、５ａ２に形成される。前記スライド押え蓋６は両側縁を左傾斜縁６ａ１と右傾斜縁６ａ２に形成される。前記スライド押え蓋６を前記凹陥収容室５ａへ装着するには、凹陥収容室５ａの外端開口５ａ３よりスライド押え蓋６を差込み、そのスライド押え蓋６の内端部６ｂの裏面に形成した内端側替刃ストッパー７を凹陥収容室５ａの内底面５ａ４に設けた係合溝８に係合し、スライド押え蓋６を定位置に保持するともに、凹陥収容室５ａに収容した替刃４を上方から押え付けている。なお、スライド押さえ蓋６の外端部６ｃの上面にスライド用指掛り９を設けている
【００２２】
前記図１、図４、図５に示す第１実施例で、スライド押え蓋６の外端部６ｃの裏面に、替刃４の外端側替刃ストッパー１０を設けている。また、スライド押え蓋６には、カミソリ本体部１ａに設けた整列溝２と同形若しくは僅かに口縁を大きく形成した蓋上整列溝１１をそれぞれの対応位置に設けている。また、スライド押え蓋６には、上下に貫通する操作具用長孔１２を設けていて、凹陥収容室５ａに収容した替刃４を、例えば、替刃４に分断して設けられている替刃上長孔１３ａ、１３ｂ、１３ｃに選択して、例えば、先端が尖頭の操作棒（図示ない）を差込み、選択した替刃上長孔１３ａ、１３ｂ、１３ｃのいずれかの端面を押して替刃４を長手方向にスライドし、集約導入櫛歯３に連通する整列溝２に対応する替刃４の刃先４ａの位置を変えて未使用部分の刃先４ａを対応させることができるものである。
【００２３】
図６〜図８は、前記図１、図４、図５説明した第１実施例のカミソリ本体部１ａに設けた整列溝２の底縁２ａ、その底縁２ａに連なる左側縁２ｂ、右側縁２ｃ及びそれらに連続するカミソリ本体部１ａの両外側面の形状について、他の実施例を説明するものであって、整列溝２の底縁２ａ、その底縁２ａに連なる左側縁２ｂ、右側縁２ｃにおける刃先４ａより内側を円弧縁２ｄに、その円弧縁２ｄに連続するカミソリ本体部１ａの両外側面の形状を凹湾曲面１ａ３ に形成してなるものである。
【００２４】
前記集約導入櫛歯３における左導入縁３ａと右導入縁３ｂの向きは、図９に示すように、一方の左導入縁３ａを長手方向線βに対して直角の横断線Ｙ２−Ｙ２と平行に、他方側の右導入縁３ｂを長手方向線βに対してα角度に設けてもよいものである。そしてそれらの角度についても前記長手方向線βに対するα角度０°〜４５°の範囲が望ましいがそれ以上の角度にも設定できる点及び右導入縁３ｂの長手方向線βに対するα角度を０°若しくは０°に近い角度で設定したときには、図２に示すように、所定の集約導入櫛歯３の高さを確保するために左区画傾斜縁３ａ１と同様の右区画傾斜縁（図示しない）を接続して左導入縁３ａと対応させるとよいものである。
【００２５】
前記集約導入櫛歯３おける左導入縁３ａと右導入縁３ｂの向きは、図１０に示すように、左導入縁３ａと右導入縁３ｂが山形に傾斜するものとしてもよいものである。なお、左導入縁３ａと右導入縁３ｂの対応形状は、実施例として左右対称は勿論、左右非対称のものも含むものである。
【００２６】
図１１〜１３は、第２実施例のヘアカット用カミソリ１４を示すものであり、第２実施例のカミソリ本体部１４ａの長手方向正面端縁１４ａ１に、第１実施例のヘアカット用カミソリ１と同様に、左導入縁１５ａと右導入縁１５ｂを具える集約導入櫛歯１５を形成する共に、その基部に連通してカット部となる整列溝１６を並列し、さらに、カット位置を頭皮から同じ高さに維持する同一高スぺーサ１７を設けてなるものである。
【００２７】
図１４〜１５は、第３実施例のヘアカット用カミソリ１８を示すものであって、同じく第１実施例のヘアカット用カミソリ１と同様にカミソリ本体部１８ａの長手方向正面端縁１８ａ１に、左導入縁１９ａと右導入縁１９ｂを具える集約導入櫛歯１９を形成する共に、その基部に連通してカット部となる整列溝２０を並列し、さらに、カット位置を頭皮からの高さを、左端から右端の柄部への差込み部１８ａ２の側を順次に高く設定する異高スぺーサ２１を設ける実施例を説明するものである。
【００２８】
図１６〜１７は、第４実施例のヘアカット用カミソリ２２を示すものであって、同じく第１実施例のヘアカット用カミソリ１と同様にカミソリ本体部２２ａの長手方向正面端縁２２ａ１に、左導入縁２３ａと右導入縁２３ｂを具える集約導入櫛歯２３を形成する共に、その基部に連通してカット部となる整列溝２４を並列し、カミソリ本体部２２ａの長手方向正面端縁２２ａ１と  反対の長手方向背面端縁２２ａ２において、柄部２２ｂと反対の左端に区分け櫛歯２５を突出し、整髪用櫛歯２６を配備してなる実施例を説明するものである。
【００２９】
前記第１実施例のヘアカット用カミソリ１を使用して、カッティングを行うと、施術後、図１８に示す状態にカットすることができる。集約導入櫛歯３から整列溝２に入りカットされた２本の毛束はそれぞれ左側が短く、右側が長い斜めに右下方向に向う斜線になっている。この毛束はそれぞれ右側に傾斜して流れができる。これをつなげながら、左右、上下にカッティングを進めていくと、カットされた頭髪は、毛束の毛先が全体に右に向いたヘアスタイルが完成される。
【００３０】
図９の第１実施例のヘアカット用カミソリ１を使用して、カッティングを行うと、施術後、図１９に示す状態にカットすることができる。集約導入櫛歯３から整列溝２に入りカットされた２本の毛束はそれぞれ右側が短く、左側が長く、斜めに左下方向に向う斜線になっている。この毛束はそれぞれ左側に傾斜して流れができる。これをつなげながら、左右、上下にカッティングを進めていくと、カットされた頭髪は、毛束の毛先が全体に左に向いたヘアスタイルが完成される。
【００３１】
図１０の第１実施例のヘアカット用カミソリ１を使用して、カッティングを行うと、施術後、図２０に示す状態にカットすることができる。山形の集約導入櫛歯３から整列溝２に入りカットされた２本の毛束はそれぞれ右側の毛束は右側へ、左側の毛束は左側へ、中央の毛束は中央へ毛が集中している。これをつなげながら、左右、上下にカッティングを進めていくと、カットされた頭髪は毛先の束が全体に中央に向いたヘアスタイルが完成される。この中央に集まった毛先は、左右いずれにも流すことができる。毛先の流れの方向を簡単に櫛、または指先で決めることができる。
【００３２】
前記基本的なカットパターンの３例を前記図１８、図１９、図２０に示したが、集約導入櫛歯３における左導入縁３ａと右導入縁３ｂの向き、集約導入櫛歯３の数と形、左導入縁３ａと右導入縁３ｂの傾斜角等を変更することによって、いろいろな毛先の状態を作ることができ、多種・多様な使用方法を創作できるものである。
なお、集約導入櫛歯３の左導入縁３ａと右導入縁３ｂも、前記３例の実施例では直線で構成されているが、実験では曲線でも成果があるものである。
【００３３】
前記図１８、図１９、図２０のいずれの形状の第１実施例の場合も、頭髪の中から、カット部分の毛髪を抽出しなければならない。本発明の第４実施例のヘアカット用カミソリ２２においては、区分け櫛歯２４の先端を使用して、頭髪中にブロック線を引き、その後、区分け櫛歯２４に付属する整髪用櫛歯２５を使用して、カット予定部分を整髪し、技術者は、左手に毛束を保持しヘアカット用カミソリを操作予定ラインに移動してカットを開始、終了予定ラインで毛先をカットして終える。この操作の繰り返しによってヘアスタイルが構成される。区分け櫛歯２４、整髪用櫛歯２５、カミソリ本体２２ａは、同一平行線上に存在する。これはヘアカット用カミソリ２２の構造自体がカット技術の障害になることを防止している。整髪用櫛歯２５の長さが、一般的な長さより短く実施例で設定されているのはそのためである。
【００３４】
前記図１８、図１９、図２０のいずれの実施例の場合も、毛髪は集約導入櫛歯３の左導入縁３ａと右導入縁３ｂの傾斜面をすべり整列溝２へ移動する。そして対面する替刃４の刃先４ａに接触してカットされる。左導入縁３ａと右導入縁３ｂの長手方向の直線βに対する傾斜角度αが大きいと一度に刃先４ａに毛髪が集中しやすく、小さいと少量の毛髪を刃先４ａへ緩やかに送り込むことができる。また、整列溝２の横幅が広いとより多くの毛髪が入り一度に多くの毛髪を刃先４ａでカットすることになる。本発明の第１実施例のヘアカット用カミソリ１の集約導入櫛歯３における左導入縁３ａと右導入縁３ｂの傾斜角度は、０°を超え４５°以下の角度に設定される。また整列溝２の横幅と長さはカット目的に合わせて設定される。同一高スぺーサ１７のある第２実施例のカット用カミソリ１４における整列溝１６と、異高スぺーサ２１のある第３実施例のカット用カミソリ１８における整列溝２０との横幅は、図１２、図１４より広く、長さは短く設定される。左手で毛束を固定してカット作業が不可能に近いので、毛を一度に多くカットしすぎることがないから、斜め切りの作業効率を向上させるために、変更されている。
【００３５】
本発明のヘアカット用カミソリは、毛束の真上または、真下いずれかから、操作されるのが普通の使用方法である。どの方向から操作しても同様にカットできるように刃先４ａの位置は集約導入櫛歯の厚みの中心に替刃４がセットされる。最近のカット技術では、毛束を上下、左右、またそれぞれの中間等からも施術される。カット用カミソリは毛元から毛先方向に操作されるのが普通であるが、毛先から毛元方向に操作されることもめずらしくない。替刃４も１箇所使用される場合と、複数箇所使用される場合が想定される。いずれの使用方法にもまた操作を行う利き手は右左同様に扱えるように、本発明のヘアカット用カミソリは対応できる。集約導入櫛歯の厚みの中心に替刃４があり、集約導入櫛歯の形状が使用時において上下対称形であるのは、そのためである。変則的な操作による毛髪のカット面は曲線を描きやすい。替刃４がカミソリ本体部にガードされて安全性が高いので、自由に使用することができる。
【００３６】
前記図６〜８の第１実施例のカミソリ本体部１ａに設けた整列溝２の底縁２ａ、その底縁２ａに連なる両側縁２ｂ、２ｃ及びそれらに連続するカミソリ本体部１ａの両外面の形状について、整列溝２の底縁２ａ、その底縁２ａに連なる両側縁２ｂ、２ｃにおける刃先４ａより内側を円弧縁２ｄに、その円弧縁２ｄに連続するカミソリ本体部５ａの両外面の形状を凹湾曲面１ａ３に形成し、刈り毛が、落ちやすいように工夫されている。毛がカミソリ本体部１ａにまとわり着くのを防ぐために形成されたものである。
【００３７】
図１１〜１３に示す第２実施例のヘアカット用カミソリ１４において、同一高スぺーサ１７を利用して短髪部を施術するとき、カットされる毛髪の長さは計算上では、一番短いもので、図１１の同一高スぺーサ１７の底辺から刃先４ａまでの間隔は５ミリである。最長の間隔は整列溝１６と集約導入櫛歯１５の横幅と最短距離５ミリを加算した数に相当する。同一高スぺーサ１７を頭皮に接触させてカット操作を行うが、一回の操作では求めるスタイルはできないので、数回に渡り、集約導入櫛歯１５に相当する横幅を最大にずらしながらカット操作をおこなう。より毛髪をカットし易い方向からカット操作を繰り返すことが重要である。長く残った毛髪を整列溝１６で狙って操作すると作業ははかどりやすい。図２１は、作業後の毛髪のカット状態を示す図面代用写真である。毛髪の長さがほぼ一定の範囲におさまって、不揃いでソフトな刈り込み面が構成されている。斜めカットを繰り返した結果である。従来のクリッパーに於けるシャープで直線的なカット面とは明らかに相違するものである。また、従来の規則正しく梳く、梳き鋏とも違い、約１センチ前後の長さを持つ毛髪が混在している。
【００３８】
図１４、図１５に示す第３実施例のヘアカット用カミソリ１８において、異高スぺーサ２１を利用して短髪部を施術するとき、カットされる毛髪の長さの範囲は計算上では、約５ミリから約３０ミリである。使用の手順は前記に順ずるものである。図２２は作業後の毛髪のカット状態を示す図面代用写真である。徐々に長さが上に向かって長くカットされている。長さが不揃いなまま徐々に長くなっている。不揃いでソフトなカット面が連続しながら短い部分から長い部分へと移っている。このように、今までに無いカット面の表情が本発明のヘアカット用カミソリ１８で構成されたのである。
【００３９】
以上のように、第２実施例のヘアカット用カミソリ１４と、第３実施例のヘアカット用カミソリ１８は、同高スぺーサ１７と異高スぺーサ２１によって起こされた集約導入櫛歯の左導入縁と右導入縁の傾斜角度が大きいと毛は良くすべり、順次、整列溝に入り、替刃４に接触してカットされるのである。
第２実施例のヘアカット用カミソリ１４と、第３実施例のヘアカット用カミソリ１８は、基本的な部分では図１〜図１０に示す第１実施例のヘアカット用カミソリ１と同様であるが、同高スぺーサ１７と異高スぺーサ２１によって運行回数が複数であり、かつ刈り込み長さが一定範囲に限定される点が相違点である。集約導入櫛歯の長さと横幅をわずか短くし、さらに整列溝の横幅を広げて、かつ長さを短くすると、毛の長さが揃い易くなり、ソフトなカット面は失われていくものである。本発明のヘアカット用カミソリによるソフトなカット面を構成する範囲を超えない集約導入櫛歯の形状、スぺーサの形状、整列溝の形状などの変化により、さらにユニークなカット面を作ることができるものである。
なお、第２実施例のヘアカット用カミソリ１４と、第３実施例のヘアカット用カミソリ１８において、替刃４の配備構成については、図示しないが、第１実施例のヘアカット用カミソリ１における構成を一例として援用するものである。
【００４０】
前記第１実施例のヘアカット用カミソリ１のカミソリ本体部１ａにセットされた替刃４の切れ味が低下した場合、スライド押え蓋７を操作しないで、替刃４の刃先４ａの全縁を利用するために、操作棒（図示しない）の尖端をスライド押え蓋上整列孔１１から替刃操作孔１３ａ、１３ｂ、１３ｃを選択して挿入させ、操作棒の尖端での替刃４の刃先４ａの未使用部分へと移動させることができる。スライド押え蓋６を移動して、例えば、スライド押え蓋７の内面に形成している外端側替刃ストッパー７を対応する替刃４の端面に当て替刃４を移動させることもできる。替刃４は鋭利な刃先４ａを持っており、接触する機会を減少させることにより技術者の安全を図ることができる。替刃4は、内端側替刃ストッパー７と外端側替刃ストッパー１０との範囲内でのみ、移動が可能である。この構成によって、替刃４の刃先４ａの全縁が使用されて、さらに替刃４による切り傷などを回避することができるものである。当然ながら、替刃消費コストの削減にも貢献するものである。
【００４１】
前記第１実施例のヘアカット用カミソリ１のカミソリ本体部１の集約導入櫛歯３の形状は基本的なものは、３種類であるが、それを基に多くの形状が案出される。資材の有効利用を図る上からカミソリ本体部１と柄部６は、着脱可能に設定している。
【００４２】
本発明のカット用カミソリも多種多様な、使用方法が案出されて実施に供されるから、持ち手である柄部は、１形態ではその利用者の要求に応えられない。多種ある操作方法に一番適した柄部の構造は、多種ある。スタンダードな技術及び被施術者により広範に対応すべき設計された柄部であっても万能ではない。従来、理美容師は、利き手で鋏を保持し、手首を曲げてカッティング技術をおこなう。開閉に係る手首、親指などの負担は大きく、腱鞘炎を患う例もめずらしくない。そこで手への負担を軽減できるように、手首を一直線にして、操作範囲を拡大できる、柄部を案出した。柄部の全体は丸く握りやすい。図１の柄部１ｂ、図１１の柄部１４ｂ、図１６及び図１７の柄部２２ｂのように、水平から真上側へ角度をつけ、さらに端尻側へも角度をつけて設けたものである。これらによって、手首を真直ぐにして、それぞれの柄部１ｂ、１４ｂ、２２ｂを保持して、進行方向へスムーズな対応が可能になるものである。また区分け櫛歯２５、整髪用櫛歯２６を使用した後、集約導入櫛歯２３により毛髪のカッティング等を行う場合、種々進行動作に対応すべく、手掌内で柄部２２ｂをスムーズに転がすことができる。またカミソリ本体部２２ａと柄部２２ｂの合計重量は、操作に適合した重量で無くてはならない。従来の刈り込み用の理美容鋏は、平均重量が５０〜６０グラムである。ミニバサミの重量は約半分である。軽すぎて安定した操作が難しいという理美容師もいるが、日本人は、約５０〜６０グラムのお茶碗などに慣れ親しんでいるから、５０〜６０グラムは違和感の無い重さなのである。刈り込み鋏の重さに不満がないのも、当然なのである。柄部１ｂ、１４ｂ、２２ｂに体積がある構造なので空洞などで重量バランスを取るのは容易に対応できるものである。
【００４３】
なお、本発明のカット用カミソリは、上記第１実施例、第２実施例、第３実施例、第４実施例の形態に限定されるものではない。例えば、集約導入櫛歯の外観形状や内部形状は、本発明の目的に適合する範囲で種々変形して実施することができる。柄部はカット技術方法に合わせて他の形状の柄部を装着させることができる。理美容師は、安全で正確な技術が施術でき、楽しく楽なカット用カミソリを常に求めているものである。
【産業上の利用可能性】
【００４４】
本発明のカット用カミソリによれば、安全かつ正確に毛髪を誘導して刃物の刃線に対して斜め方向にカットし、長髪部には、躍動感のある、毛束の毛先の方向を決定しやすい、軽い感じのヘアスタイルを提供することができる。また髪際部周辺の短髪部には、ソフト感あふれるヘアスタイルを提供することができる。
よって、本発明のカット用カミソリは、理容及び美容において、毛髪の髪型構成、施術工程に多様な画期的効果を奏するものである。
【図面の簡単な説明】
【００４５】
【図１】本発明のカミソリ本体部に柄部を取付けた第１実施例のヘアカット用カミソリの一般的使用状態の全体側面図である。
【図２】本発明の第１実施例のヘアカット用カミソリにおける集約導入櫛歯の基本的実施例を説明するカミソリ本体部の側面図である。
【図３】同じく、集約導入櫛歯の他の実施例のカミソリ本体部の側面図である。
【図４】図１のＡ−Ａ線に沿う拡大断面図である。
【図５】同じく、前記第１実施例のヘアカット用カミソリのカミソリ本体部を構成各部に分解した拡大分解斜視図である。
【図６】同じく、前記第１実施例のカミソリ本体部に毛詰まり防止用開放案内面を形成した実施例の側面図である。
【図７】同じく、図６のＢ−Ｂ線に沿う拡大断面図である。
【図８】同じく、さらに拡大した部分説明側面図である。
【図９】本発明の第１実施例のヘアカット用カミソリのカミソリ本体部における集約導入櫛歯の向きを反対にした実施例のカミソリ本体部の側面図である。
【図１０】同じく、集約導入櫛歯の向きを左右に分かれる山形にした実施例のカミソリ本体部の側面図である。
【図１１】カット高さを同一に設定する同じ高さのスペーサを各集約導入櫛歯に備えた第２実施例のヘアカット用カミソリの全体側面図である。
【図１２】同じく、第２実施例のヘアカット用カミソリにおいて、カット高さを同一に設定する同じ高さの同高スペーサを各集約導入櫛歯に備えたカミソリ本体部の拡大部分側面図である。
【図１３】同じく、カット高さを同一に設定する同高スペーサを各集約導入櫛歯に備えたカミソリ本体部の平面図である。
【図１４】カット高さを柄部と反対の先端より基端へ高さを順次高く設定する異高スペーサを各集約導入櫛歯に備えた第３実施例のヘアカット用カミソリのカミソリ本体部の側面図である。
【図１５】同じく、第３実施例のヘアカット用カミソリのカミソリ本体部の平面図である。
【図１６】カミソリ本体部の背面端縁に、柄部と反対の先端に区分け櫛歯を有する整髪用櫛歯を備えた本発明の第４実施例のヘアカット用カミソリの全体側面図である。
【図１７】同じく、本発明の第４実施例のヘアカット用カミソリの全体背面図である。
【図１８】図１に示す本発明の第１実施例のヘアカット用カミソリを使用してヘアカットした時の髪のカット状態を示す説明図である。
【図１９】図９に示す本発明の第１実施例のヘアカット用カミソリを使用してヘアカットした時の髪のカット状態を示す説明図である。
【図２０】図１０に示す本発明の第１実施例のヘアカット用カミソリを使用してヘアカットした時の髪のカット状態を示す説明図である。
【図２１】本発明の第２実施例のヘアカット用カミソリを使用し、作業後の髪の状態を示した図面代用写真（人毛を植毛したカツラの部分カット写真）である。
【図２２】本発明の第３実施例のヘアカット用カミソリを使用し、作業後の髪の状態を示した図面代用写真（人毛を植毛したカツラの部分カット写真）である。
【符号の説明】
【００４６】
１  ヘアカット用カミソリ
１ａ  カミソリ本体
１ａ１  長手方向正面端縁
１ａ２ 差込部
１ａ３ 凹湾曲面
１ｂ 柄部
２  整列溝
２ａ 底縁
２ｂ 左側縁
２ｃ 右側縁
２ｄ 円弧縁
３  集約導入櫛歯
３ａ  左導入縁
３ａ１  左区画傾斜縁
３ｂ  右導入縁
４  替刃
４ａ  刃先
５ 替刃収容部
５ａ 凹陥収容室
５ａ１ 傾斜係合縁
５ａ２ 傾斜係合縁
５ａ３ 外端開口
５ａ４ 内底面
６ スライド押え蓋
６ａ１  左傾斜縁
６ａ２  右傾斜縁
６ｂ  内端部
６ｃ  外端部
７ 内端側替刃ストッパー
８ 係合溝
９  スライド用指掛り
１０ 外端側替刃ストッパー
１１ スライド押え蓋上整列溝
１２ 操作具用長孔
１３ａ 替刃操作孔
１３ｂ 替刃操作孔
１３ｃ 替刃操作孔
１４  第２実施例のヘアカット用カミソリ
１４ａ  カミソリ本体部
１５  集約導入櫛歯
１６  整列溝
１７  突条
１８  第３実施例のヘアカット用カミソリ
１８ａ  カミソリ本体部
１８ｂ  柄部
１９  集約導入櫛歯
２０  整列溝
２１  スペーサ
２２  第４実施例のヘアカット用カミソリ
２２ａ  カミソリ本体部
２３  集約導入櫛歯
２４  整列溝
２５  区分け櫛歯
２６  整髪用櫛歯
【図１】
2006346181.tif 000003
【図２】
2006346181.tif 000004
【図３】
2006346181.tif 000005
【図４】
2006346181.tif 000006
【図５】
2006346181.tif 000007
【図６】
2006346181.tif 000008
【図７】
2006346181.tif 000009
【図８】
2006346181.tif 000010
【図９】
2006346181.tif 000011
【図１０】
2006346181.tif 000012
【図１１】
2006346181.tif 000013
【図１２】
2006346181.tif 000014
【図１３】
2006346181.tif 000015
【図１４】
2006346181.tif 000016
【図１５】
2006346181.tif 000017
【図１６】
2006346181.tif 000018
【図１７】
2006346181.tif 000019
【図１８】
2006346181.tif 000020
【図１９】
2006346181.tif 000021
【図２０】
2006346181.tif 000022
【図２１】
2006346181.tif 000023
【図２２】
2006346181.tif 000024